(57)【特許請求の範囲】
【請求項１】
ホスト装置との間でケーブルを介した通信が可能な携帯機器に設けられているバックアップシステムにおいて、
電池を装着する電池ケースと、
前記電池ケースに嵌められる電池蓋と、
前記電池から電力供給を受ける被電力供給部と、
前記被電力供給部へバックアップ電力を供給するバックアップ電源と、
前記電池および前記バックアップ電源が前記被電力供給部に対して並列に接続される第１モードと、前記電池が前記被電力供給部に電気的に接続される一方で前記バックアップ電源が前記被電力供給部および前記電池から電気的に切り離される第２モードとを切り替える半導体スイッチと、
前記電池蓋が前記電池ケースに嵌められている状態および前記ケーブルを介して前記ホスト装置から前記携帯機器に電力が供給されていない状態のうちの少なくとも一方の状態である時に前記第１モードになり、前記電池蓋が前記電池ケースから外され且つ前記ケーブルを介して前記ホスト装置から前記携帯機器に電力が供給されている状態の時に前記第２モードになるように前記半導体スイッチを制御する制御回路とを有することを特徴とするバックアップシステム。
【請求項２】
前記制御回路は、第１入力端子と第２入力端子とを有し、第１入力端子および第２入力端子のうちの少なくとも一方が第１タイプの信号を入力している場合は前記第１モードになることを示す制御信号を前記半導体スイッチへ出力し、前記第１入力端子および第２入力端子の両方が第２タイプの信号を入力している場合は前記第２モードになることを示す制御信号を前記半導体スイッチへ出力するＡＮＤ回路であり、
前記電池蓋が前記電池ケースに嵌められている時に第１タイプの信号を前記第１入力端子に入力し、前記電池蓋が前記電池ケースから外れている時に前記第１入力端子に第２タイプの信号を入力する第１信号供給部と、
前記ホスト装置から前記携帯機器に電力が供給されていない時に第１タイプの信号を第１入力端子に入力し、前記ホスト装置から前記携帯機器に電力が供給されている時に第２タイプの信号を第２入力端子に入力する第２信号供給部とを有することを特徴とする請求項１に記載のバックアップシステム。
【請求項３】
前記ケーブルは、ＵＳＢ（Universal Serial Bus）ケーブルであることを特徴とする請求項１または２に記載のバックアップシステム。
【請求項４】
請求項３に記載のバックアップシステムを備えた携帯機器であり、クレードルに装着されることによって前記ホスト装置との間で前記ＵＳＢケーブルを介した通信が可能になっていることを特徴とする携帯機器。
【発明の詳細な説明】
【技術分野】
【０００１】
本発明は、電池を着脱可能な電気機器に設けられるものであり、電池からの電力供給が途絶えた場合に前記電池の代わりに電力を供給するバックアップ電源を備えたバックアップシステムに関する。
【背景技術】
【０００２】
電池を着脱可能にした電気機器においては、電池から電力供給対象（集積回路等）への電力供給が途絶えた場合に前記電池の代わりに電力供給対象へ電力を供給するバックアップ電源を備えたバックアップシステムが設けられているものがある。以下、従来のバックアップシステムについて説明する。図１は、従来のバックアップシステムを示す図である。図１に示すバックアップシステム３００は電気機器の内部に設けられ、前記電気機器を制御するための集積回路や揮発性メモリ等である被電力供給部３１０と、被電力供給部３１０に対して並列に接続されている電池３２０およびバックアップ電源３３０とを有している。
【０００３】
また、図１に示すように、バックアップシステム３００には、前記電気機器の製造時の検査工程において、バックアップ電源３３０をバックアップシステム３００から電気的に切り離すためのメカニカルスイッチＳＷ１が設けられている。これは、前記検査工程では、被電力供給部３１０に安定化電源を接続して、安定化電源から被電力供給部３１０へ試験電流を流して電流値を測定するようになっているが、図３に示すようにバックアップ電源にまで当該電流が流れてしまうと正確な測定が困難になるため、メカニカルスイッチＳＷ１によってバックアップシステム３００からバックアップ電源３３０を電気的に切り離すようにしているのである。つまり、検査工程では図２に示すようにメカニカルスイッチＳＷ１をオフにしてバックアップ電源３３０をバックアップシステム３００から電気的に切り離してバックアップ電源３３０に電流を流さないようにし、利用者側での使用時にはメカニカルスイッチＳＷ１をオンにして図１に示すようにバックアップ電源３３０をバックアップシステム３００に電気的に接続している。
【０００４】
しかし、メカニカルスイッチＳＷ１を備えたバックアップシステム３００には以下にて述べる欠点がある。まず、メカニカルスイッチＳＷ１は半導体スイッチと比較して壊れ易いという欠点がある。また、メカニカルスイッチＳＷ１は人手によって操作されるため、前記電気機器の筐体（キャビネット）に、メカニカルスイッチＳＷ１を筐体の外側に突出させるための開口部を形成する必要があるが、この開口部によって筐体の強度が低下し、防水・防塵対策が難しくなるといった欠点がある。また、前記開口部は筐体の設計やデザイン上の制約になるという欠点がある。さらに、人手によってメカニカルスイッチＳＷ１を操作することになるため、検査工程時にバックアップ電源３３０が接続されるという操作ミスや、利用者側での使用時にバックアップ電源３３０がバックアップシステム３００から切り離されるという操作ミスが生じ易いという欠点がある。
【０００５】
これに対し、図４に示すように、ＣＰＵ（Central Processing Unit）からの命令に基づいて生成された制御信号によって動作する半導体スイッチＳＷ２を備え、この半導体スイッチＳＷ２によってバックアップ電源４３０をシステムから電気的に切り離すようになっているバックアップシステム４００は、以上にて述べた各欠点を有さない。
【先行技術文献】
【特許文献】
【０００６】
【特許文献１】特開平１０−２７４７９２号公報
【発明の概要】
【発明が解決しようとする課題】
【０００７】
しかし、半導体スイッチＳＷ２によってバックアップ電源４３０をシステムから切り離すようになっているバックアップシステム４００は以下にて述べる問題を有している。まず、図４のようなバックアップシステム４００によれば、ＣＰＵの命令に基づいて半導体スイッチＳＷ２のオンとオフとが切り替えられるため、ソフトウェアのバグや暴走によって、検査工程時以外の時（例えば利用者の使用時）にバックアップ電源４３０がシステムから切り離されるという誤作動が突然生じるという問題を有する。このような誤作動が生じるとバックアップ機能が働かなくなる。
【０００８】
本発明は、前記問題に鑑みてなされたものであり、前記誤作動が起こることなく、検査工程時のみにバックアップ電源を電気的に切り離すことができるバックアップシステムを提供することを目的とするものである。
【課題を解決するための手段】
【０００９】
上記の課題を解決するために、本発明は、ホスト装置との間でケーブルを介した通信が可能な携帯機器に設けられているバックアップシステムにおいて、電池を装着する電池ケースと、前記電池ケースに嵌められる電池蓋と、前記電池から電力供給を受ける被電力供給部と、前記被電力供給部へバックアップ電力を供給するバックアップ電源と、前記電池および前記バックアップ電源が前記被電力供給部に対して並列に接続される第１モードと、前記電池が前記被電力供給部に電気的に接続される一方で前記バックアップ電源が前記被電力供給部および前記電池から電気的に切り離される第２モードとを切り替える半導体スイッチと、前記電池蓋が前記電池ケースに嵌められている状態および前記ケーブルを介して前記ホスト装置から前記携帯機器に電力が供給されていない状態のうちの少なくとも一方の状態である時に前記第１モードになり、前記電池蓋が前記電池ケースから外され且つ前記ケーブルを介して前記ホスト装置から前記携帯機器に電力が供給されている状態の時に前記第２モードになるように前記半導体スイッチを制御する制御回路とを有することを特徴とする。
【００１０】
本発明の構成によれば、電池蓋を外した上で前記ケーブルが接続されるという利用者側にて通常行われない操作が行われた時にバックアップ電源がシステムから切り離されるようになっているため、利用者側においてバックアップ電源がシステムから切り離されるという不都合を抑制できる。それゆえ、前述の通常行われない操作を検査工程時のみに敢えて行うことにより、検査工程時以外の時にバックアップ電源がシステムから切り離されるという誤作動を生じさせることなく、検査工程時のみバックアップ電源をシステムから切り離すことができるという効果を奏する。
【００１１】
また、本発明のバックアップシステムにおいて、前記制御回路は、第１入力端子と第２入力端子とを有し、第１入力端子および第２入力端子のうちの少なくとも一方が第１タイプの信号を入力している場合は前記第１モードになることを示す制御信号を前記半導体スイッチへ出力し、前記第１入力端子および第２入力端子の両方が第２タイプの信号を入力している場合は前記第２モードになることを示す制御信号を前記半導体スイッチへ出力するＡＮＤ回路であり、前記電池蓋が前記電池ケースに嵌められている時に第１タイプの信号を前記第１入力端子に入力し、前記電池蓋が前記電池ケースから外れている時に前記第１入力端子に第２タイプの信号を入力する第１信号供給部と、前記ホスト装置から前記携帯機器に電力が供給されていない時に第１タイプの信号を第１入力端子に入力し、前記ホスト装置から前記携帯機器に電力が供給されている時に第２タイプの信号を第２入力端子に入力する第２信号供給部とを有する構成であってもよい。この構成によれば、前記半導体スイッチをソフトウェアで制御せずにハードウェアのみで制御できるため、ソフトウェアによって前記半導体スイッチを制御していた従来の問題（バグの発生やソフトウェアの暴走）が起こらないというメリットを有する。
【００１２】
なお、本発明のバックアップシステムにおいて、前記ケーブルはＵＳＢ（Universal Serial Bus）ケーブルであってもよい。さらに、本発明のバックアップシステムを備えた携帯機器は、クレードルに装着されることによって前記ホスト装置との間で前記ＵＳＢケーブルを介した通信が可能になっていてもよい。
【発明の効果】
【００１３】
本発明は、検査工程時以外の時にバックアップ電源がシステムから切り離されるという誤作動が起こることなく、検査工程時のみにバックアップ電源を電気的に切り離すことができるバックアップシステムを提供できるという効果を奏する。
【図面の簡単な説明】
【００１４】
【図１】従来のバックアップシステムであり、メカニカルスイッチによってバックアップ電源の切り離しを行うバックアップシステムを示す図である。
【図２】図１に示すバックアップシステムに対して行われる検査工程を説明するための図である。
【図３】メカニカルスイッチを備えておらず、バックアップ電源の切り離しを行えないバックアップシステムに対して行われる検査工程を説明するための図である。
【図４】従来のバックアップシステムであり、半導体スイッチによってバックアップ電源の切り離しを行うバックアップシステムを示す図である。
【図５】本発明の一実施形態のバックアップシステムを示す図である。
【図６】（ａ）は、本発明の一実施形態のバックアップシステムを備えている携帯情報端末の電池ケースを示す図である。（ｂ）は、電池蓋を取り外して電池ケースを開放している状態を示す図である。（ｃ）は、電池蓋を装着して電池ケースを電池蓋で覆っている状態を示す図である。
【図７】（ａ）は、本発明の一実施形態のバックアップシステムを備えている携帯情報端末の筐体と、前記携帯情報端末用のクレードルとを示す図である。（ｂ）は、前記携帯情報端末が前記クレードルに挿入されている状態を示す図である。
【図８】（ａ）は、本発明の一実施形態に係るバックアップシステムの通常使用時を示す図である。（ｂ）は、本発明の一実施形態に係るバックアップシステムの電池交換時を示す図である。（ｃ）は、本発明の一実施形態に係るバックアップシステムのＵＳＢ通信時を示す図である。（ｄ）は、本発明の一実施形態に係るバックアップシステムにおいてバックアップ電源が切り離された時を示す図である。
【図９】本発明の一実施形態に係るバックアップシステムを備えている携帯情報端末に対して行われる検査工程を説明するための図である。
【発明を実施するための形態】
【００１５】
以下、本発明の実施の形態について詳細に説明する。図５は、本発明の一実施形態のバックアップシステムを示す図である。
【００１６】
図５に示すバックアップシステム１０は、携帯情報端末（ＰＤＡ：Personal Digital Assistant）に設けられるものである。このバックアップシステム１０は、携帯情報端末において電池１２から被電力供給部１１への電力供給が途絶えた場合に、電池１２の代わりにバックアップ電源１３から被電力供給部１１へ電力供給を行うものである。
【００１７】
なお、前記の携帯情報端末には、図７（ａ）に示すように、ＵＳＢ（Universal Serial Bus）通信および充電を行うためのクレードル５１が外部機器として付属している。図７（ｂ）に示すように、携帯情報端末の筐体（キャビネット）５０をクレードル５１に挿入すると、携帯情報端末はＡＣアダプタ５３を介して商用電源に接続し、携帯情報端末に装着されている電池１２を充電することが可能になっている。また、携帯情報端末の筐体５０をクレードル５１に挿入し、且つクレードル５１とＰＣ（personal computer）５４とをＵＳＢケーブルで接続すると、携帯情報端末とＰＣ５４との間でＵＳＢ通信が行うことが可能になる。
【００１８】
つぎに、バックアップシステム１０の構成について説明する。図５に示すように、バックアップシステム１０は、被電力供給部１１と、電池１２と、バックアップ電源１３と、半導体スイッチＳＷ３と、電池蓋スイッチＳＷ４と、プルアップ抵抗Ｒと、ＡＮＤ回路１４とを有している。なお、図５に示すように、ＡＮＤ回路１４は、信号を入力する端子ＩＮ１およびＩＮ２と、信号を出力する端子ＯＵＴとを有している。
【００１９】
被電力供給部１１は、電池１２から電力供給を受け、携帯情報端末における情報処理および制御処理を行うコンピュータであり、集積回路および各種メモリからなるものである。そして、図５に示すように、被電力供給部１１には、電池１２およびバックアップ電源１３が並列に接続されている。
【００２０】
電池１２は、携帯情報端末に対して着脱可能なバッテリであり、被電力供給部１１に対して電力を供給するためのものである。なお、電池１２がバックアップシステム１０に電気的に接続されており、且つ携帯情報端末をクレードル５１に装着している場合、ＡＣアダプタ５３によって電池１２を充電することが可能になっている。
【００２１】
バックアップ電源１３は、携帯情報端末において電池１２から被電力供給部１１への電力供給が途絶えた場合に、電池１２の代わりに被電力供給部１１へ電力供給を行うものである。ここで、電池１２から被電力供給部１１への電力供給が途絶える場合としては、携帯情報端末の電池ケースから電池１２を取り外した時（電池交換時）や、落下衝撃等で電池１２が電池ケースの端子から一時的に離れる時等がある。
【００２２】
以上のようなバックアップ電源１３を設けることにより、被電力供給部１１にて記憶されているデータの消失を防ぐことができる。例えば、利用者が携帯情報端末を操作している最中に、落下衝撃等で電池１２が電池ケースの端子から一時的に離れる事態が起こっても、当該事態が生じるまでに入力した情報の消失を防ぐことができる。
【００２３】
半導体スイッチＳＷ３は、電池１２のマイナス端子および被電力供給部１１を結ぶ電源ラインと電池１２のプラス端子および被電力供給部１１を結ぶ電源ラインとの間において、バックアップ電源１３と直列に接続されている。つまり、半導体スイッチＳＷ３は、オンに切り替わると、バックアップ電源１３を被電力供給部１１および電池１２に対して電気的に接続し、オフに切り替わるとバックアップ電源１３を被電力供給部１１および電池１２から電気的に切り離すようになっている。
【００２４】
具体的に、電池１２のマイナス端子および被電力供給部１１を結ぶ電源ラインに対して、バックアップ電源１３のマイナス端子が接続され、電池１２のプラス端子および被電力供給部１１を結ぶ電源ラインに対し、半導体スイッチＳＷ３を介してバックアップ電源１３のプラス端子が接続されている。そして、半導体スイッチＳＷ３は、オンの時、電池１２のプラス端子および被電力供給部１１を結ぶ電源ラインに対してバックアップ電源１３のプラス端子を電気的に接続し、オフの時、電池１２のプラス端子および被電力供給部１１を結ぶ電源ラインからバックアップ電源１３のプラス端子を電気的に切り離すようになっている。
【００２５】
電池蓋スイッチＳＷ４は、電池１２が挿入される電池ケース１６に取り付けられているスイッチである。以下、電池ケース１６および電池蓋スイッチＳＷ４について図６を用いて説明する。
【００２６】
本実施形態のバックアップシステム１０を備える携帯情報端末には、図６（ａ）に示される電池ケース１６および電池蓋１５が設けられている。そして、電池ケース１６に電池１２が嵌められている場合、図５に示すように電池１２と被電力供給部１１とが電気的に接続し、電池ケース１６から電池１２が外された場合、電池１２は被電力供給部１１から電気的に切り離されるようになっている。
【００２７】
また、図５および図６に示すように、本実施形態の電池ケース１６には電池蓋スイッチＳＷ４が取り付けられている。この電池蓋スイッチＳＷ４は、図６（ｂ）に示すように、電池蓋１５が電池ケース１６から外されている場合にオフになり、図６（ｃ）に示すように、電池蓋１５が電池ケース１６に嵌め込まれると電池蓋１５の一部に押圧されてオンになる。
【００２８】
そして、図５および図６に示すように、電池蓋スイッチＳＷ４は、オンの状態ではＡＮＤ回路１４の端子ＩＮ１（入力端子）とＧＮＤとを接続し、オフの状態では端子ＩＮ１とＧＮＤとを切断するようになっている。また、図５に示すように、電池蓋スイッチＳＷ４と端子ＩＮ１とを結ぶラインには、電池１２に接続されるプルアップ抵抗Ｒが取り付けられている。これにより、電池蓋スイッチＳＷ４がオンになると、端子ＩＮ１の入力はローになる。これに対し、電池蓋スイッチＳＷ４がオフになると、端子ＩＮ１の入力はハイになる。
【００２９】
ＡＮＤ回路１４は、端子ＩＮ１が電池蓋スイッチＳＷ４に接続され、端子ＩＮ２がＶＢＵＳに接続され、且つ、端子ＯＵＴが半導体スイッチＳＷ３の制御端子に接続されている論理ゲートであり、電池１２から電源電圧を受けて動作するようになっている。ＶＢＵＳは、ＵＳＢケーブルの一部であり、ＵＳＢ通信時においてホストコンピュータ（図７（ｂ）の例ではＰＣ５４）から前記携帯情報端末の被電力供給部１１へ電圧（５Ｖ）を供給するための電源ラインである（以下、ＶＢＵＳにて供給される電圧をＶＢＵＳ電圧とする）。つまり、前記携帯情報端末がクレードル５１に嵌め込まれ、ＰＣ５４と携帯情報端末との間でＵＳＢケーブルによる接続が行われている場合、端子ＩＮ２にＶＢＵＳ電圧が印加され、その結果、端子ＩＮ２の入力はハイになる。これに対し、ＰＣ５４と携帯情報端末との間でＵＳＢケーブルによる接続が行われていない場合、端子ＩＮ２に印加される電圧はゼロであり、その結果、端子ＩＮ２の入力はローになる。
【００３０】
そして、ＡＮＤ回路１４は、端子ＩＮ１の入力がハイであって、且つ、端子ＩＮ２の入力がハイである場合のみ、端子ＯＵＴからハイを示す制御信号を出力し、それ以外の場合は端子ＯＵＴからローを示す制御信号を出力するようになっている。半導体スイッチＳＷ３は、ＡＮＤ回路１４からローの制御信号を入力している時はオンになり、ＡＮＤ回路１４からハイの制御信号を入力している時はオフになる。
【００３１】
つぎに、以上にて示したバックアップシステム１０の動作について図８に基づいて説明する。
【００３２】
まず、携帯情報端末がクレードル５１から外され、且つ利用者が携帯情報端末を起動して使用している通常使用時について説明する。通常使用時では、基本的に電池蓋１５が電池ケース１６に嵌め込まれていることから電池蓋スイッチＳＷ４はオンであり、端子ＩＮ１の入力はロー（Ｌ）になっている。また、通常使用時では、携帯情報端末がクレードル５１から外されていることから、ＶＢＵＳにＶＢＵＳ電圧が印加されていないため、端子ＩＮ２の入力はローである。それゆえ、通常使用時では、図８（ａ）に示すように、ＡＮＤ回路１４はローを示す制御信号を出力し、半導体スイッチＳＷ３はオンになり、バックアップ電源１３は電池１２と共に被電力供給部１１に対して電気的に接続される。
【００３３】
ここで、通常使用時において、基本的に電池蓋１５が電池ケース１６に嵌め込まれている理由について以下詳細に説明する。電池１２を電池ケース１６に挿入しつつ電池蓋１５を外した状態で利用者が携帯情報端末を起動または使用する行為は、通常、操作マニュアルにおいて禁止されている。これは、携帯情報端末の使用中に電池１２が抜け落ちる危険を伴うという第１の理由と、携帯情報端末の起動中に電池１２の取り外しを行う事は電気的な危険を伴うという第２の理由とによる。したがって、利用者が操作マニュアルを無視して電池蓋１５を外して携帯情報端末を起動するという例外的ケースが発生しない限り、通常使用時において電池蓋スイッチＳＷ４はオンになる。
【００３４】
つぎに電池交換時について説明する。電池交換時においては、図６に示すように電池蓋１５が電池ケース１６から外されており、電池蓋スイッチＳＷ４はオフになっている。それゆえ、電池交換時、端子ＩＮ１の入力はハイ（Ｈ）である。また、電池交換がされているということは、携帯情報端末はクレードル５１に挿入されておらず、また、携帯情報端末が起動していないため、ＵＳＢ通信は行われていない。それゆえ、電池交換時、ＶＢＵＳにＶＢＵＳ電圧が印加されていないため、端子ＩＮ２の入力はローである。よって、電池交換時では、図８（ｂ）に示すように、ＡＮＤ回路１４はローを示す制御信号を出力し、半導体スイッチＳＷ３はオンになり、バックアップ電源１３は電池１２と共に被電力供給部１１に対して電気的に接続される。
【００３５】
つぎにＵＳＢ通信時について説明する。ＵＳＢ通信時において、携帯情報端末はクレードル５１に挿入されており、ＶＢＵＳにＶＢＵＳ電圧が印加されているため、端子ＩＮ２の入力はハイになっている。また、ＵＳＢ通信時では、基本的に電池蓋１５は電池ケース１６に嵌められているため、電池蓋スイッチＳＷ４はオンであり、端子ＩＮ１の入力はローになっている。それゆえ、ＵＳＢ通信時、図８（ｃ）に示すように、ＡＮＤ回路１４はローを示す制御信号を出力し、半導体スイッチＳＷ３はオンになり、バックアップ電源１３は電池１２と共に被電力供給部１１に対して電気的に接続される。
【００３６】
なお、ＵＳＢ通信時において基本的に電池蓋１５が電池ケース１６に嵌められている理由を以下に説明する。前述した第２の理由にもあるように、携帯情報端末の起動中に電池１２の取り外しを行う事は電気的な危険を伴う。それゆえ、電池蓋１５を外した状態で利用者が携帯情報端末を起動または使用する行為（ＵＳＢ通信を含む）は、通常、操作マニュアルにおいて禁止されている。したがって、利用者が操作マニュアルを無視して電池蓋１５を外してＵＳＢ通信を行うという例外的ケースが発生しない限り、ＵＳＢ通信時においては、電池蓋１５は電池ケース１６に嵌められ、電池蓋スイッチＳＷ４はオンになっている。
【００３７】
つぎに、電池蓋１５が外され、且つＶＢＵＳにＶＢＵＳ電圧が印加されているという通常は行われない状態（以下「非通常状態」と称す）が例外的に発生した場合について説明する。前記非通常状態では、電池蓋１５が電池ケース１６から外されていることになるから電池蓋スイッチＳＷ４はオフであり、端子ＩＮ１の入力はハイになっている。また、ＶＢＵＳにＶＢＵＳ電圧が印加されているということは、端子ＩＮ２の入力はハイになっている。それゆえ、前記の非通常状態では、図８（ｄ）に示すように、ＡＮＤ回路１４はハイを示す制御信号を出力し、半導体スイッチＳＷ３はオフになり、バックアップ電源１３は被電力供給部１１および電池１２から電気的に切断されることになる。
【００３８】
ここで、本実施形態のバックアップシステム１０において、前記非通常状態が生じた場合にバックアップ電源１３を被電力供給部１１および電池１２から電気的に切断している理由を説明する。
【００３９】
前記非通常状態は、電池蓋１５を外した状態でＵＳＢ通信を行った時に発生することになるが、このような状態は、前記したように利用者が操作マニュアルを無視するという例外的なケースを除いて生じる事が殆ど無い。それゆえ、当該非通常状態が生じた時にバックアップ電源１３をシステムから切り離すようにしても利用者にとって不都合が殆ど無い。そこで、本実施形態では、図８に示すようなバックアップシステム１０を採用することによって、前記非通常状態が生じた場合にバックアップ電源１３が被電力供給部１１および電池１２から電気的に切り離されるようにしている。
【００４０】
そして、バックアップシステム１０を搭載する携帯情報端末の製造時での検査工程では被電力供給部１１へ試験電流を流して電流値を測定するようになっているが、この検査工程にて敢えて前記非通常状態を発生させ、バックアップ電源１３をバックアップシステム１０から電気的に切り離すようにしている。具体的には、検査工程において、図９に示すように、ＶＢＵＳにＶＢＵＳ電圧を印加し、且つ電池蓋１５を外して電池蓋スイッチＳＷ４をオフにした上で、被電力供給部１１に安定化電源Ｐを接続して試験電流を供給している。これにより、検査工程において正確な電流値測定が可能になる。
【００４１】
つまり、本実施形態では、「電池蓋１５を外した上でＶＢＵＳにＶＢＵＳ電圧が印加される」という利用者側にて通常行わない操作を検出した時のみバックアップ電源１３をシステムから切り離すようにして、利用者側においてバックアップ電源１３がシステムから切り離されるという不都合が生じることを抑制しつつ、検査工程にて敢えて前記非通常状態を生じさせることでバックアップ電源１３をシステムから切り離して正確な電流測定を実現しているのである。
【００４２】
以上のように、本実施形態は、ＰＣ５４（ホスト装置）５４との間でＵＳＢケーブルを介した通信が可能な携帯情報端末に設けられているバックアップシステム１０である。そして、バックアップシステム１０は、電池１２を装着する電池ケース１６と、電池ケース１６に嵌められる電池蓋１５と、電池１２から電力供給を受ける被電力供給部１１と、被電力供給部１１へバックアップ電力を供給するバックアップ電源１３と、半導体スイッチＳＷ３と、ＡＮＤ回路（制御回路）１４とを備える。ここで、半導体スイッチＳＷ３は、電池１２およびバックアップ電源１３が被電力供給部１１に対して並列に接続される第１モード（図８（ａ）〜図８（ｃ）参照）と、電池１２が被電力供給部１１に電気的に接続される一方でバックアップ電源１３が被電力供給部１１および電池１２から電気的に切り離される第２モード（図８（ｄ）参照）とを切り替えるものである。ＡＮＤ回路１４は、電池蓋１５が電池ケース１６に嵌められている状態およびＵＳＢケーブルを介してＰＣ５４から携帯情報端末に電力が供給されていない状態のうちの少なくとも一方の状態である時に前記第１モードになり、電池蓋１５が電池ケース１６から外され且つＵＳＢケーブルを介してＰＣ５４から前記携帯情報端末に電力が供給されている状態の時に前記第２モードになるように半導体スイッチＳＷ３を制御するようになっている。これにより、電池蓋１５を外した上でＵＳＢケーブルを接続するという利用者側にて通常行われない操作が行われた時にバックアップ電源１３がシステムから切り離されるようになっているため、利用者側においてバックアップ電源１３がシステムから切り離されるという不都合を抑制できる。それゆえ、前述した通常行われない操作を検査工程時のみに敢えて行うことにより、検査工程時以外の時にバックアップ電源１３がシステムから切り離されるという誤作動を生じさせることなく、検査工程時のみバックアップ電源をシステムから切り離すことができるという効果を奏する。
【００４３】
また、ＡＮＤ回路１４は、端子ＩＮ１（第１入力端子）と端子ＩＮ２（第２入力端子）とを有し、端子ＩＮ１および端子ＩＮ２のうちの少なくとも一方がロー信号（第１タイプの信号）を入力している場合、電池１２およびバックアップ電源１３を被電力供給部１１に対して並列に接続するためのロー信号（制御信号）を半導体スイッチＳＷ３へ出力し、端子ＩＮ１および端子ＩＮ２の両方がハイ信号（第２タイプの信号）を入力している場合、バックアップ電源１３をシステムから電気的に切り離すためのハイ信号（制御信号）を半導体スイッチＳＷ３に出力するようになっている。そして、本実施形態のバックアップシステム１０は、電池蓋１５が電池ケース１６に嵌められている時にロー信号を端子ＩＮ１に入力し、電池蓋１５が電池ケース１６から外れている時に端子ＩＮ２にハイ信号を入力する第１信号供給部（電池蓋スイッチＳＷ４，プルアップ抵抗Ｒ，ＧＮＤ，電地１２）を有し、ホスト装置から携帯情報端末にＶＢＵＳを介して電力が供給されていない時にロー信号を端子ＩＮ２に入力し、ホスト装置から携帯情報端末に電力が供給されている時にハイ信号を端子ＩＮ２に入力する第２信号供給部（ＶＢＵＳ）を有している。このような構成によれば、半導体スイッチＳＷ３をソフトウェアで制御せずにハードウェアのみで制御できるため、ソフトウェアによって半導体スイッチＳＷ３を制御していた従来の問題（バグの発生やソフトウェアの暴走）が起こらないというメリットを有する。
【００４４】
また、本実施形態の構成によれば、半導体スイッチＳＷ３によってシステムからバックアップ電源１３を切り離しているため、メカニカルスイッチによって当該切り離しを行っていた従来構成（図１）のような操作ミスを抑制でき、操作の信頼性を高めることができる。図１の従来構成では使用時にメカニカルスイッチがオンになっていない場合、利用者がオンにする必要があったが、本実施形態ではそのような必要性はない。また、本実施形態では、検査工程において、工員がメカニカルスイッチを操作する必要がなくなり、工程数を少なくできる。さらに、本実施形態の構成では、図１の従来構成で必要であったメカニカルスイッチが不要になるので、機構設計やデザインの自由度が高まる。
【００４５】
また、図４に示す従来構成では、半導体スイッチＳＷ２はＣＰＵによって制御されるため、検査工程時において半導体スイッチＳＷ２を制御するためにＣＰＵに通電する必要が生じる。それゆえ、図４に示す従来構成では、ＣＰＵが待機状態（電源ＯＦＦ時）になっている時の待機電流を正確に測定することが困難という問題点があるが、本実施形態の構成では当該問題点を有さない。
【００４６】
また、本実施形態では、「電池蓋１５を外した上でＶＢＵＳにＶＢＵＳ電圧が印加される」という現象が通常行われないものとみなし、当該現象が生じた時にバックアップ電源１３を切り離すようにしているが、前記現象の原因行為を禁止する構成を採用すれば、利用者使用時にバックアップ電源が切り離されるという不都合が生じる事をさらに抑制できる。例えば、電池蓋１５が外れていることを検知するセンサを設け、電池蓋１５が外れている場合は「電池蓋１５が外れているため起動しない」旨のメッセージを表示装置に表示し、電池蓋１５が嵌められてからＯＳが起動して操作（ＵＳＢ通信を含む）が可能になるように制御する構成であってもよい。
【００４７】
なお、本実施形態のバックアップシステム１０は、携帯情報端末のみならず、携帯電話、携帯型ゲーム機器、電子辞書、携帯型音楽プレイヤー、ＩＣレコーダ等のホストコンピュータとＵＳＢ通信が可能な携帯機器に適用可能である。
【００４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４９】
本発明のバックアップシステムは、ホストコンピュータとＵＳＢ通信が可能な携帯機器に適用可能であり、このような携帯機器としては、携帯情報端末、携帯型ゲーム機器、電子辞書、携帯型音楽プレイヤー、ＩＣレコーダ等が挙げられる。
【符号の説明】
【００５０】
１０    バックアップシステム
１１    被電力供給部
１２    電池
１３    バックアップ電源
１４    ＡＮＤ回路（制御回路）
１５    電池蓋
１６    電池ケース
５０    筐体
５１    クレードル
５４    ＰＣ（ホスト装置）
ＩＮ１    端子（第１入力端子）
ＩＮ２    端子（第２入力端子）
ＯＵＴ    端子（出力端子）
ＳＷ３    半導体スイッチ
ＳＷ４    電池蓋スイッチ
【図１】
0005479194.tif 000002
【図２】
0005479194.tif 000003
【図３】
0005479194.tif 000004
【図４】
0005479194.tif 000005
【図５】
0005479194.tif 000006
【図６】
0005479194.tif 000007
【図７】
0005479194.tif 000008
【図８】
0005479194.tif 000009
【図９】
0005479194.tif 000010